(57)【要約】【課題】ヒンジピンの外れ防止を行うことができ，ヒンジピンを開閉中心にして開閉扉を滑らかに開閉させることができる遊技機を提供すること。【解決手段】遊技機１は，枠側ヒンジ部材２１を配設した枠体２と，扉側ヒンジ部材３１を配設した開閉扉３とを有している。扉側ヒンジ部材３１は，鍔部３２１を備えたヒンジピン３２を有している。枠側ヒンジ部材２１は，上片部２１１，段部２１２及び下片部２１３を有しており，下片部２１３には，ピンロック部４１及び付勢バネ４２を備えたロック部材４がスライド可能に配設してある。下片部２１３には，幅広部２２１及び幅狭部２２２を備えたピン挿入穴２２が形成してあり，段部２１２には，段部穴２３が形成してある。ピンロック部４１が幅狭部２２２内のヒンジピン３２を回動可能に保持し，鍔部３２１が幅狭部２２２の周縁部に掛止可能な状態で係合して，開閉扉３が枠体２に対して開閉する。【選択図】  図１
2004215845.tif 000002
【特許請求の範囲】
【請求項１】
枠体と，該枠体に対して開閉可能に配設された開閉扉とを有してなる遊技機において，
上記開閉扉は，該開閉扉の上方角部に固定される扉側ヒンジ部材を有しており，該扉側ヒンジ部材は，上記開閉の開閉中心となるヒンジピンを有していると共に，該ヒンジピンの上方先端部には，該ヒンジピンの外径よりも拡径した鍔部が形成されており，
上記枠体は，該枠体の上方角部に固定される枠側ヒンジ部材と，該枠側ヒンジ部材に対して移動可能に配設されたロック部材とを有しており，
上記枠側ヒンジ部材は，上記扉側ヒンジ部材と対向するよう配設されていると共に，略水平方向に伸びた上片部と，該上片部における上記遊技機の前方側の前方端から下方に向けて屈曲した段部と，該段部の下端から上記前方側に向けて延設された下片部とを有しており，
上記下片部には，上記ヒンジピンを挿入配置できるピン挿入穴が形成されていると共に，該ピン挿入穴は，その前方側に上記ヒンジピンの外径よりも大きく上記鍔部の外径よりも小さな幅を有する幅狭部を有しており，
上記段部には，上記ピン挿入穴に連通すると共に，上記鍔部の外径よりも大きな幅を有する段部穴が形成されており，
上記ロック部材は，上記ヒンジピンを上記幅狭部内において回動可能に保持するためのピンロック部を有しており，
かつ，上記ロック部材は，上記下片部の上面において，上記ピンロック部により上記ピン挿入穴内に挿入配置された上記ヒンジピンの進退を妨げるロック位置と，上記ピンロック部による上記ヒンジピンの進退の妨げを解除して，該ヒンジピンを上記ピン挿入穴内において進退可能にするロック解除位置とに移動可能に配設されていると共に，上記ロック位置に向けて上記ロック部材を付勢する付勢バネを有しており，
上記ヒンジピンが，上記段部穴を介して上記ピン挿入穴の上記幅狭部に挿入された状態においては，上記ロック位置に移動した上記ロック部材の上記ピンロック部により上記幅狭部内に上記ヒンジピンを回動可能に保持すると共に，上記ヒンジピンの上記鍔部が上記幅狭部の周縁部に掛止可能な状態となるよう構成されていることを特徴とする遊技機。
【請求項２】
請求項１において，上記ロック部材は，上記遊技機の前後方向に沿って形成された上記ピン挿入穴に直交する左右方向にスライドして上記ロック位置と上記ロック解除位置とに移動するよう構成されており，
上記ロック部材における上記ピンロック部は，該ピンロック部の後方側に形成されたピン当接面を有しており，該ピン当接面は，上記左右方向の先端に向けて上記ピンロック部の幅が狭くなるよう傾斜形成されていることを特徴とする遊技機。
【請求項３】
請求項１又は２において，上記付勢バネと上記ロック部材とは，合成樹脂により一体成形されていることを特徴とする遊技機。
【請求項４】
請求項１〜３のいずれか一項において，上記枠側ヒンジ部材には，上記ロック部材の移動範囲を除き該ロック部材の側方に位置する部分に，該ロック部材の高さと略同一の高さを有する側壁が形成されていることを特徴とする遊技機。
【請求項５】
請求項１〜４のいずれか一項において，上記ロック部材には，該ロック部材を強制的に移動させる際に触れて操作するための操作部が設けてあることを特徴とする遊技機。
【発明の詳細な説明】
【０００１】
【技術分野】
本発明は，枠体と，この枠体に対して開閉可能に配設された開閉扉とを有してなる遊技機に関する。
【０００２】
【従来技術】
例えば，パチンコ遊技機においては，外枠に対して，遊技領域を有する遊技盤を配設した前枠を開閉可能に配設している。この前枠は，メンテナンスのときなどに上記外枠より取り外すことがあり，開閉可能であると共に着脱可能に配設されることが多い。
そして，上記開閉と着脱とを行うために，外枠と前枠との左右いずれかの上方角部及び下方角部に，一対のヒンジ部材をそれぞれ設けている。また，上方角部における一対のヒンジ部材の一方のヒンジ部材には，上記前枠の開閉中心となるヒンジピンを設け，他方のヒンジ部材には，上記ヒンジピンを回動及び着脱可能に支持するピン支持部を設けている。
このようなパチンコ遊技機における外枠と前枠との開閉着脱構造としては，例えば，特許文献１〜３に示すものがある。
【０００３】
【特許文献１】
特開平９−４７５５５号公報
【特許文献２】
特開平１１−３３１８８号公報
【特許文献３】
特開平１１−１５６０２５号公報
【０００４】
【解決しようとする課題】
しかしながら，上記従来のパチンコ遊技機の開閉着脱構造においては，上記ヒンジピンは上記ピン支持部に対して挿入配置されるだけである。そのため，例えば，上記前枠に大きな荷重がかかると，この前枠にたわみが生じ，特に上記上方角部の一対のヒンジ部材におけるヒンジピンとピン支持部との係合状態に影響を与える。
すなわち，上記前枠にたわみが生じた場合には，ヒンジピンとピン支持部との係合状態に無理な負荷が加わり，これが滑らかな前枠の開閉を妨げるおそれがある。さらに，上記たわみが大きいときには，ヒンジピンがピン支持部より外れてしまうおそれがある。
【０００５】
本発明は，かかる従来の問題点に鑑みてなされたもので，ヒンジピンの外れ防止を行うことができ，ヒンジピンを開閉中心にして開閉扉を滑らかに開閉させることができる遊技機を提供しようとするものである。
【０００６】
【課題の解決手段】
本発明は，枠体と，該枠体に対して開閉可能に配設された開閉扉とを有してなる遊技機において，
上記開閉扉は，該開閉扉の上方角部に固定される扉側ヒンジ部材を有しており，該扉側ヒンジ部材は，上記開閉の開閉中心となるヒンジピンを有していると共に，該ヒンジピンの上方先端部には，該ヒンジピンの外径よりも拡径した鍔部が形成されており，
上記枠体は，該枠体の上方角部に固定される枠側ヒンジ部材と，該枠側ヒンジ部材に対して移動可能に配設されたロック部材とを有しており，
上記枠側ヒンジ部材は，上記扉側ヒンジ部材と対向するよう配設されていると共に，略水平方向に伸びた上片部と，該上片部における上記遊技機の前方側の前方端から下方に向けて屈曲した段部と，該段部の下端から上記前方側に向けて延設された下片部とを有しており，
上記下片部には，上記ヒンジピンを挿入配置できるピン挿入穴が形成されていると共に，該ピン挿入穴は，その前方側に上記ヒンジピンの外径よりも大きく上記鍔部の外径よりも小さな幅を有する幅狭部を有しており，
上記段部には，上記ピン挿入穴に連通すると共に，上記鍔部の外径よりも大きな幅を有する段部穴が形成されており，
上記ロック部材は，上記ヒンジピンを上記幅狭部内において回動可能に保持するためのピンロック部を有しており，
かつ，上記ロック部材は，上記下片部の上面において，上記ピンロック部により上記ピン挿入穴内に挿入配置された上記ヒンジピンの進退を妨げるロック位置と，上記ピンロック部による上記ヒンジピンの進退の妨げを解除して，該ヒンジピンを上記ピン挿入穴内において進退可能にするロック解除位置とに移動可能に配設されていると共に，上記ロック位置に向けて上記ロック部材を付勢する付勢バネを有しており，
上記ヒンジピンが，上記段部穴を介して上記ピン挿入穴の上記幅狭部に挿入された状態においては，上記ロック位置に移動した上記ロック部材の上記ピンロック部により上記幅狭部内に上記ヒンジピンを回動可能に保持すると共に，上記ヒンジピンの上記鍔部が上記幅狭部の周縁部に掛止可能な状態となるよう構成されていることを特徴とする遊技機である（請求項１）。
【０００７】
本発明の遊技機は，上記枠体と上記開閉扉との上方角部に配設する枠側ヒンジ部材と扉側ヒンジ部材とに工夫をして，開閉扉にたわみが生じたときでも，安定して開閉扉の開閉を行えるようにしたものである。
すなわち，上記扉側ヒンジ部材には，上記鍔部を上方先端部に備えたヒンジピンを形成した。また，上記枠側ヒンジ部材は，上記上片部，上記段部及び上記下片部を有する屈曲形状に形成した。そして，上記下片部の上面には，上記構成のロック部材を移動可能に配設した。
【０００８】
また，上記下片部には，上記幅狭部を備えた上記ピン挿入穴を形成し，上記段部には，上記ピン挿入穴に連通する段部穴を形成した。これらの穴の形成と上記ロック部材の存在とにより，上記拡径した鍔部を有するヒンジピンは，上記幅狭部との係合状態を安定して維持することができる。
【０００９】
以下に，上記各構成を有する遊技機において，上記開閉扉を上記枠体に取り付ける場合につき説明する。
すなわち，上記開閉扉を上記枠体に取り付けるにあたっては，作業者は，上記開閉扉を操作し，この開閉扉の扉側ヒンジ部材におけるヒンジピンを，上記枠体の枠側ヒンジ部材における段部穴内又はその後方側に配置する。このとき，上記ヒンジピンの鍔部が上記下片部よりも上方に位置するように，上記ヒンジピンを配置しておく。
【００１０】
次いで，作業者は，上記ヒンジピンが上記幅狭部内に位置するように，上記開閉扉を上記遊技機の前方側に向けて引き寄せる。このとき，上記ヒンジピンは，上記枠側ヒンジ部材に配設されたロック部材のピンロック部に当接する。
そして，作業者がさらに上記開閉扉を前方側に引き寄せると，上記ヒンジピンが上記ピンロック部を押圧し，上記ロック部材が上記付勢バネによる付勢力に抗して，上記ロック解除位置まで移動する。これにより，上記ロック部材のピンロック部を，上記ピン挿入穴に挿入配置されたヒンジピンの進退を妨げる妨げ位置から，ピン挿入穴内におけるヒンジピンの進退を可能にする待避位置まで待避させることができる。そして，上記ヒンジピンを上記幅狭部まで前進させることができる。
【００１１】
次いで，上記ヒンジピンを上記幅狭部まで前進させると，上記ロック部材が上記付勢バネの付勢力を受けて上記ロック位置に復帰する。このとき，上記ピンロック部が再び上記妨げ位置に戻り，このピンロック部が，上記幅狭部内に挿入配置されたヒンジピンを当該幅狭部内において回動可能に保持する。また，このとき，上記ヒンジピンの鍔部は，上記ピン挿入穴の幅狭部の上方に位置し，この幅狭部の周縁部に掛止可能な状態となる。
こうして，上記ヒンジピンと上記幅狭部及びピンロック部とによる回動可能な係合が行われ，上記開閉扉を上記枠体に取り付けることができ，かつ上記鍔部の存在により上記ヒンジピンが上記ピン挿入穴から抜けてしまうことを防止することができる。
【００１２】
すなわち，上記各構成により，上記開閉扉を枠体に取り付けた状態においては，上記ヒンジピンは，上記幅狭部及びピンロック部によって，前後左右にほとんどずれることがない。また，上記開閉扉は，上記ヒンジピンを開閉中心にして滑らかに開閉を行うことができる。
また，この開閉扉の取付状態においては，上記ヒンジピンは，その鍔部が上記幅狭部の周縁部に掛止可能な状態となっているので，この幅狭部から抜けないように外れ防止がなされる。
【００１３】
そのため，例えば，上記開閉扉においてたわみが生じようとしたときには，上記ヒンジピンの鍔部が上記幅狭部の周縁部に掛止され，ヒンジピンが幅狭部から外れてしまうことを防止することができる。
また，このときには，上記鍔部の掛止により，上記開閉扉は，ほとんど下方向にずれることができない。そのため，上記ヒンジピンの鍔部により，開閉扉のたわみを抑制することもできる。
それ故，本発明の遊技機によれば，ヒンジピンの外れ防止を行うことができ，ヒンジピンを開閉中心にして開閉扉を滑らかに開閉させることができる。
【００１４】
なお，上記開閉扉を上記枠体より取り外すにあたっては，作業者は，上記ロック部材を上記ロック位置から上記ロック解除位置に移動させる。このとき，上記回動可能な係合状態にあるロック部材のピンロック部が，上記ヒンジピンの進退を妨げる上記妨げ位置から上記ヒンジピンの進退を可能にする上記待避位置へと待避する。
【００１５】
そして，作業者は，上記ヒンジピンを上記幅狭部から上記段部穴まで後退させるようにして，上記開閉扉を上記遊技機の後方側に向けて押し出すことができる。こうして，上記ヒンジピンが上記段部穴よりも後退したときには，このヒンジピンが上記ピン挿入穴より外れ，上記開閉扉を上記枠体より取り外すことができる。
【００１６】
【発明の実施の形態】
上述した本発明における好ましい実施の形態につき説明する。
本発明においては，上記枠体は，パチンコ遊技機における外枠とすることができ，上記開閉扉は，上記外枠の前方側に開閉可能に配設された前枠とすることができる。また，上記枠体は，パチンコ遊技機における前枠とすることができ，上記開閉扉は，上記前枠の前方側に開閉可能に配設されたガラス枠もしくは球皿，又は前枠の後方側に開閉可能に配設された機構板とすることができる。
その他，上記枠体は，パチンコ遊技機における種々の枠体とすることができ，上記開閉扉は，パチンコ遊技機における種々の開閉扉とすることができる。
【００１７】
また，上記開閉扉は，該開閉扉の下方角部に固定される扉側支持部材を有し，上記枠体は，該枠体の下方角部に固定される枠側支持部材を有している。そして，上記扉側支持部材又は上記枠側支持部材の一方には，支持ピンを設け，他方には，該支持ピンを回動可能に保持するピン保持部を設けて，上記開閉扉が，上記扉側ヒンジ部材における上記ヒンジピンと上記支持ピンとを開閉中心として上記枠体に対して開閉可能に配設されている。
【００１８】
また，本発明においては，上記ロック部材は，上記遊技機の前後方向に沿って形成された上記ピン挿入穴に直交する左右方向にスライドして上記ロック位置と上記ロック解除位置とに移動するよう構成されており，上記ロック部材における上記ピンロック部は，該ピンロック部の後方側に形成されたピン当接面を有しており，該ピン当接面は，上記左右方向の先端に向けて上記ピンロック部の幅が狭くなるよう傾斜形成されていることが好ましい（請求項２）。
【００１９】
この場合には，上記ロック部材の簡単な構造で，上記ロック位置における上記ヒンジピンの回動可能な係合と，上記ヒンジピンに押圧されることによる上記ロック解除位置への移動とを確実に行うことができる。
【００２０】
また，上記付勢バネと上記ロック部材とは，合成樹脂により一体成形されていることが好ましい（請求項３）。
この場合には，上記付勢バネと上記ロック部材とを合わせて１つの部品とすることができる。そのため，付勢バネをロック部材に組み付けるための手間をなくすことができる。また，付勢バネがロック部材から離脱したり，ロック部材に対して位置ずれを起こしたりすることがないため，付勢バネによる付勢力を安定して作用させることができる。
【００２１】
また，上記枠側ヒンジ部材には，上記ロック部材の移動範囲を除き該ロック部材の側方に位置する部分に，該ロック部材の高さと略同一の高さを有する側壁が形成されていることが好ましい（請求項４）。
この場合には，上記側壁の形成により，遊技機において遊技を行う者，又は組付もしくはメンテナンス等を行う作業者が不用意に上記ロック部材に触れて，上記ヒンジピンの回動可能な係合状態を解除してしまうことを防止することができる。また，上記側壁の形成により，何らかの外力による上記ロック部材の破損を防止することもできる。
【００２２】
また，上記ロック部材には，該ロック部材を強制的に移動させる際に触れて操作するための操作部が設けてあることが好ましい（請求項５）。
この場合には，上記開閉扉を上記枠体より取り外す際に，作業者は，上記操作部に触れて上記ロック部材を上記ロック解除位置に移動させることができる。そのため，上記ロック部材のロック解除位置への移動操作を簡単に行うことができる。
【００２３】
【実施例】
以下に，図面を用いて本発明の遊技機にかかる実施例につき説明する。
図１０，図１２に示すごとく，本例の遊技機はパチンコ遊技機１であり，このパチンコ遊技機１は，枠体２と，この枠体２に対して開閉可能に配設された開閉扉３とを有してなる。また，本例の枠体２は，パチンコ遊技機１における外枠２であり，本例の開閉扉３は，上記外枠２に開閉可能に配設した前枠３である。
図１２に示すごとく，上記開閉扉３は，この開閉扉３の上方角部に固定される扉側ヒンジ部材３１を有している。図２，図３，図９に示すごとく，この扉側ヒンジ部材３１は，上記開閉の開閉中心となるヒンジピン３２を有しており，このヒンジピン３２の上方先端部には，このヒンジピン３２の外径よりも拡径した鍔部３２１が形成されている。
【００２４】
図１０，図１２に示すごとく，上記枠体２は，この枠体２の上方角部に固定される枠側ヒンジ部材２１と，この枠側ヒンジ部材２１に対して移動可能に配設されたロック部材４とを有している。
図３，図４に示すごとく，上記枠側ヒンジ部材２１は，上記扉側ヒンジ部材３１の上方においてこれに対向配設されている。そして，枠側ヒンジ部材２１は，略水平方向に伸びた上片部２１１と，この上片部２１１における上記遊技機１の前方側の前方端から下方に向けて屈曲した段部２１２と，この段部２１２の下端から上記前方側に向けて延設された下片部２１３とを有している。
【００２５】
図１に示すごとく，上記下片部２１３には，上記ヒンジピン３２を挿入配置できるピン挿入穴２２が形成されている。このピン挿入穴２２は，上記ヒンジピン３２の上記鍔部３２１の外径よりも大きな幅を有する幅広部２２１と，上記ヒンジピン３２の外径よりも大きく上記鍔部３２１の外径よりも小さな幅を有する幅狭部２２２とを有している。また，この幅狭部２２２は，上記幅広部２２１の上記前方側において，この幅広部２２１に対して連通形成されている。
【００２６】
図１に示すごとく，上記段部２１２には，上記鍔部３２１の外径よりも大きな幅を有する段部穴２３が形成されている。この段部穴２３は，上記幅広部２２１に対して連通形成されている。
また，上記ロック部材４は，上記ヒンジピン３２を上記幅狭部２２２内において回動可能に保持するためのピンロック部４１を有している。このピンロック部４１は，その前方側に形成されたピンロック面４１１と，このピンロック面４１１とは反対側の上記パチンコ遊技機１の後方側に形成されたピン当接面４１２とを有している。
【００２７】
また，上記ロック部材４は，図１，図２に示すごとく，上記下片部２１３の上面２１４において，上記ピンロック部４１により上記ピン挿入穴２２内に挿入配置された上記ヒンジピン３２の進退を妨げるロック位置４０１と，図６，図７に示すごとく，上記ピンロック部４１による上記ヒンジピン３２の進退の妨げを解除して，このヒンジピン３２を上記ピン挿入穴２２内において進退可能にするロック解除位置４０２とに移動可能に配設されている。また，ロック部材４は，上記ロック位置４０１に向けて当該ロック部材４を付勢する付勢バネ４２を有している。
【００２８】
そして，上記パチンコ遊技機１は，上記ヒンジピン３２が，上記段部穴２３を介して上記ピン挿入穴２２の上記幅狭部２２２に挿入された状態においては，図１に示すごとく，上記ロック位置４０１に移動した上記ロック部材４のピンロック部４１により上記幅狭部２２２内に上記ヒンジピン３２を回動可能に保持すると共に，図２に示すごとく，上記ヒンジピン３２の鍔部３２１が上記幅狭部２２２の周縁部に掛止可能な状態となるよう構成されている。
【００２９】
また，図５に示すごとく，上記パチンコ遊技機１において，上記開閉扉３を上記枠体２に取り付ける際には，上記扉側ヒンジ部材３１におけるヒンジピン３２を，上記枠側ヒンジ部材２１における上記段部穴２３内又はその後方側に配置する。
次いで，上記開閉扉３を上記前方側に引き寄せて，上記ヒンジピン３２を上記段部穴２３を通過させると共に，上記ピン挿入穴２２の幅広部２２１に進入させる。そして，上記ヒンジピン３２により上記ピンロック部４１のピン当接面４１２を押圧する。
そして，図６に示すごとく，上記ロック部材４を，上記付勢バネ４２による付勢力に抗して上記ロック解除位置４０２に移動させながら，上記ヒンジピン３２を上記幅狭部２２２まで前進させる。
【００３０】
その後，図１に示すごとく，上記ロック部材４が上記付勢バネ４２の付勢力を受けて上記ロック位置４０１に復帰し，上記ピンロック部４１の上記ピンロック面４１１は，上記幅狭部２２２内に挿入配置された上記ヒンジピン３２を当該幅狭部２２２内において回動可能に保持する。
こうして，図１０に示すごとく，上記開閉扉３を上記枠体２に取り付けると共に，図２に示すごとく，上記ヒンジピン３２の上記鍔部３２１が上記幅狭部２２２の周縁部に掛止可能な状態で係合し，当該ヒンジピン３２の外れ防止がなされた状態で，上記開閉扉３が上記枠体２に対して開閉可能となる。
【００３１】
以下に，これを詳説する。
図１２に示すごとく，本例のパチンコ遊技機１においては，上記開閉扉３は，この開閉扉３の下方角部に固定される扉側支持部材３５を有しており，上記枠体２は，この枠体２の下方角部に固定される枠側支持部材２５を有している。そして，上記扉側支持部材３５には，上記ヒンジピン３２と共に上記開閉扉３の開閉中心となる支持ピン３５１が設けてあり，上記枠側支持部材２５には，上記支持ピン３５１を回動可能に保持するピン保持部としてのピン保持穴２５１が設けてある。
【００３２】
そして，図１０，図１１に示すごとく，上記開閉扉３は，上記ヒンジピン３２と上記支持ピン３５１とを開閉中心として，上記枠体２に対して開閉可能に配設されている。
また，図２に示すごとく，上記扉側ヒンジ部材３１及び上記枠側ヒンジ部材２１は，いずれも略水平に配設されており，上記ヒンジピン３２は，上記扉側ヒンジ部材３１において，上方に向けて立設形成されている。
【００３３】
また，図１に示すごとく，上記下片部２１３における上記幅広部２２１と幅狭部２２２との間には，テーパ部２２３が形成されており，上記ヒンジピン３２は，このテーパ部２２３にガイドされて幅広部２２１から幅狭部２２２へと前進することができる。
また，図１，図６，図７に示すごとく，上記ロック部材４は，上記下片部２１３の上面２１４において，上記前後方向Ｄに直交する左右方向Ｗにスライドして上記ロック位置４０１と上記ロック解除位置４０２とに移動するよう構成されている。また，上記段部２１２は上記左右方向Ｗに沿って形成されており，上記ロック部材４は，上記段部２１２に沿って左右方向Ｗにスライドする。
【００３４】
また，図８に示すごとく，上記下片部２１３には，上記左右方向Ｗに沿って複数の軸部２４が配設されており，上記ロック部材４には，上記複数の軸部２４に係合するガイド穴４３が上記左右方向Ｗに沿って形成されている。そして，上記ロック部材４は，上記ガイド穴４３が上記複数の軸部２４によってガイドされることによって，左右方向Ｗにスライドし，上記ロック位置４０１と上記ロック解除位置４０２との間で移動可能になっている。
【００３５】
また，図１に示すごとく，上記ロック部材４におけるピンロック部４１のピン当接面４１２は，上記左右方向Ｗの先端に向けてピンロック部４１の幅が狭くなるよう傾斜形成されている。また，ピンロック部４１のピンロック面４１１は，上記左右方向Ｗに沿って形成されている。
【００３６】
また，図１，図４に示すごとく，本例においては，付勢バネ４２とロック部材４とは，合成樹脂により一体成形されている。このロック部材４を構成する合成樹脂は，例えばポリアセタール等の摺動抵抗が低く摺動性に優れるものとすることが好ましい。
【００３７】
上記付勢バネ４２は，上記ロック部材４に連結する連結部４２１と，この連結部４２１より上記ロック部材４より隔離して形成した弾性変形部４２２とからなる。そして，弾性変形部４２２は，上記下片部２１３に設けた軸部２４と当接可能になっており，上記ロック部材４が左右方向Ｗにスライドしたときに上記軸部２４によって弾性変形可能になっている。
すなわち，図１に示すごとく，上記ロック部材４が，上記ロック位置４０１にあるときには，上弾性変形部４２２が上記軸部２４を押圧していることにより，ロック部材４は，上記ロック位置４０１に保持されている。
【００３８】
また，図６，図７に示すごとく，上記上記ロック部材４を上記ロック解除位置４０２にスライドさせたときには，上記弾性変形部４２２が上記軸部２４に押されて，この弾性変形部４２２の弾性変形が元に戻ろうとする力により，上記ロック部材４は上記ロック位置４０１に復帰することができる。
上記ロック部材４と一体成形した付勢バネ４２により，付勢バネ４２は，ロック部材４から離脱したり，ロック部材４に対して位置ずれを起こしたりすることがない。そのため，付勢バネ４２による付勢力を安定して作用させることができる。
なお，本例において，ヒンジピン３２の進退方向とは，上記パチンコ遊技機１の前後方向Ｄと同じ方向である。
【００３９】
本例のパチンコ遊技機１は，上記枠体２と上記開閉扉３との上方角部に配設する枠側ヒンジ部材２１と扉側ヒンジ部材３１とに工夫をして，開閉扉３にたわみが生じたときでも，安定して開閉扉３の開閉を行えるようにしたものである。
すなわち，上記扉側ヒンジ部材３１には，上記鍔部３２１を上方先端部に備えたヒンジピン３２を形成した。また，上記枠側ヒンジ部材２１は，上記上片部２１１，上記段部２１２及び上記下片部２１３を有する屈曲形状に形成した。そして，上記下片部２１３の上面２１４には，上記ロック部材４をスライド可能に配設した。
【００４０】
また，上記下片部２１３には，上記幅広部２２１と幅狭部２２２とを備えた上記ピン挿入穴２２を形成し，上記段部２１２には，上記幅広部２２１に連通する段部穴２３を形成した。これらの穴２２，２３の形成と上記ロック部材４の存在とにより，上記拡径した鍔部３２１を有するヒンジピン３２は，上記幅狭部２２２との回動可能な係合状態を安定して維持することができる。
【００４１】
以下に，上記各構成を有するパチンコ遊技機１において，上記開閉扉３（図９参照）を上記枠体２（図８参照）に取り付ける場合につき説明する。
図１２に示すごとく，上記開閉扉３を上記枠体２に取り付けるにあたっては，作業者は，上記開閉扉３を操作し，この開閉扉３の扉側支持部材３５における支持ピン３５１を，上記枠体２の枠側支持部材２５におけるピン保持穴２５１に挿入配置する。
【００４２】
そして，上記支持ピン３５１とピン保持穴２５１との係合が行われた状態においては，図５に示すごとく，開閉扉３の扉側ヒンジ部材３１におけるヒンジピン３２は，上記枠体２の枠側ヒンジ部材２１における段部穴２３の後方側に配置される。また，この状態においては，ヒンジピン３２の鍔部３２１が上記下片部２１３よりも上方に位置する。
【００４３】
次いで，上記開閉扉３の扉側ヒンジ部材３１を配設した左上部分を，手前側，すなわちパチンコ遊技機１の前方側に引き寄せる。こうして，図５に示すごとく，開閉扉３の扉側ヒンジ部材３１におけるヒンジピン３２が，上記枠体２の枠側ヒンジ部材２１における段部穴２３を通過して，上記ピン挿入穴２２の幅広部２２１まで挿入される。
【００４４】
次いで，作業者は，上記ヒンジピン３２を上記幅広部２２１から上記幅狭部２２２まで前進させるようにして，上記開閉扉３の左上部分を上記パチンコ遊技機１の前方側に向けてさらに引き寄せる。このとき，図５に示すごとく，上記ヒンジピン３２は，上記枠側ヒンジ部材２１に配設されたロック部材４のピンロック部４１におけるピン当接面４１２に当接する。
そして，図６に示すごとく，作業者がさらに上記開閉扉３の左上部分を前方側に引き寄せると，上記ヒンジピン３２が上記ピンロック部４１のピン当接面４１２を押圧し，上記ロック部材４が上記付勢バネ４２による付勢力に抗して，上記ロック解除位置４０２まで移動する。
【００４５】
これにより，上記ロック部材４のピンロック部４１を，上記ピン挿入穴２２に挿入配置されたヒンジピン３２の進退を妨げる妨げ位置４０３（図１参照）から，ピン挿入穴２２内におけるヒンジピン３２の進退を可能にする待避位置４０４（図６参照）まで待避させることができる。そして，上記ヒンジピン３２を上記幅狭部２２２まで前進させることができる。
【００４６】
次いで，図１に示すごとく，上記ヒンジピン３２を上記幅狭部２２２まで前進させると，上記ロック部材４が上記付勢バネ４２の付勢力を受けて上記ロック位置４０１に復帰する。このとき，上記ピンロック部４１が再び上記妨げ位置４０３に戻り，このピンロック部４１のピンロック面４１１が，上記幅狭部２２２内に挿入配置されたヒンジピン３２を当該幅狭部２２２内において回動可能に保持する。
【００４７】
また，このとき，上記ヒンジピン３２の鍔部３２１は，上記ピン挿入穴２２の幅狭部２２２の上方に位置し，この幅狭部２２２の周縁部に掛止可能な状態となる。
こうして，図１１に示すごとく，上記ヒンジピン３２と上記幅狭部２２２及びピンロック面４１１とによる回動可能な係合が行われ，上記開閉扉３を上記枠体２に取り付けることができ，かつ上記鍔部３２１の存在により上記ヒンジピン３２が上記ピン挿入穴２２から抜けてしまうことを防止することができる。
【００４８】
すなわち，本例のパチンコ遊技機１においては，上記各部の構成により，図１，図３に示すごとく，上記開閉扉３を枠体２に取り付けた状態においては，上記ヒンジピン３２は，上記幅狭部２２２及びピンロック面４１１によって，前後左右にほとんどずれることがない。また，図１１，図１２に示すごとく，上記開閉扉３は，上記ヒンジピン３２及び支持ピン３５１を開閉中心にして滑らかに開閉を行うことができる。
また，図１，図３に示すごとく，この開閉扉３の取付状態においては，上記ヒンジピン３２は，その鍔部３２１が，上記幅狭部２２２の周縁部に掛止可能な状態でこの幅狭部２２２から抜けないように外れ防止がなされる。
【００４９】
そのため，例えば，上記開閉扉３においてたわみが生じようとしたときには，上記ヒンジピン３２の鍔部３２１が上記幅狭部２２２の周縁部に掛止され，ヒンジピン３２が幅狭部２２２から外れてしまうことを防止することができる。
また，このときには，図２に示すごとく，上記鍔部３２１の掛止により，上記開閉扉３は，ほとんど下方向にずれることができない。そのため，上記ヒンジピン３２の鍔部３２１により，開閉扉３のたわみを抑制することもできる。
それ故，本例のパチンコ遊技機１によれば，ヒンジピン３２の外れ防止を行うことができ，ヒンジピン３２を開閉中心にして開閉扉３を滑らかに開閉させることができる。
【００５０】
なお，以下に，上記開閉扉３を上記枠体２より取り外す場合につき説明する。
図７に示すごとく，上記開閉扉３を上記枠体２より取り外すにあたっては，作業者は，上記ロック部材４を上記ロック位置４０１から上記ロック解除位置４０２にスライドさせる。このときには，作業者は，後述する滑止め凹凸部４４（図１３参照）に触れて上記ロック部材４をスライドさせることができる。
そして，図７に示すごとく，上記ロック部材４のスライドが行われたときには，上記回動可能な係合状態にあるピンロック部４１が，上記ヒンジピン３２の進退を妨げる妨げ位置４０３から上記ヒンジピン３２の進退を可能にする待避位置４０４へと待避する。
【００５１】
そのため，図７に示すごとく，作業者は，上記ヒンジピン３２を上記幅狭部２２２から上記幅広部２２１及び上記段部穴２３まで後退させるようにして，上記開閉扉３の左上部分を上記パチンコ遊技機１の後方側に向けて押し出すことができる。そして，上記ヒンジピン３２を上記段部穴２３よりも後方側の位置まで後退させる。
こうして，図７，図１２に示すごとく，上記開閉扉３を操作して，開閉扉３の左下部分における上記支持ピン３５１を上記ピン保持穴２５１より抜き出し，開閉扉３を上記枠体２より取り外すことができる。
【００５２】
また，本例のパチンコ遊技機１においては，上記ロック部材４及びその周辺に以下の工夫をすることができる。
すなわち，図１３に示すごとく，上記枠側ヒンジ部材２１には，上記ロック部材４の移動範囲を除きロック部材４の側方に位置する部分に，ロック部材４の上下方向高さと略同一の上下方向高さを有する側壁４５を形成しておくことができる。この場合には，パチンコ遊技機１において遊技を行う者，又は組付もしくはメンテナンス等を行う作業者が，不用意に上記ロック部材４に触れて，上記ヒンジピン３２の回動可能な係合状態を解除してしまうことを防止することができる。
【００５３】
また，図１３に示すごとく，上記ロック部材４には，ロック部材４を強制的に移動させる際に触れて操作するための操作部としての滑止め凹凸部４４を設けることができる。この場合には，上記開閉扉３を上記枠体２より取り外す際に，作業者は，上記滑止め凹凸部４４に触れて上記ロック部材４を上記ロック解除位置４０２に容易に移動させることができる。そのため，上記ロック部材４のロック解除位置４０２への移動操作を簡単に行うことができる。
【図面の簡単な説明】
【図１】実施例における，パチンコ遊技機においてロック部材がロック位置にスライドした状態を示す図で，パチンコ遊技機の上方側から見た状態で示す断面説明図。
【図２】実施例における，パチンコ遊技機においてロック部材がロック位置にスライドした状態を示す図で，図１０におけるＡ−Ａ線矢視断面説明図。
【図３】実施例における，パチンコ遊技機においてロック部材がロック位置にスライドした状態を示す図で，図１０におけるＢ−Ｂ線矢視断面説明図。
【図４】実施例における，パチンコ遊技機においてロック部材がロック位置にスライドした状態を示す図で，図１０におけるＣ−Ｃ線矢視断面説明図。
【図５】実施例における，パチンコ遊技機において，ヒンジピンがピンロック部のピン当接面に当接しこれを押圧している状態を示す図で，パチンコ遊技機の上方側から見た状態で示す断面説明図。
【図６】実施例における，パチンコ遊技機において，ヒンジピンがピンロック部のピン当接面を押圧し，ロック部材がロック解除位置までスライドした状態を示す図で，パチンコ遊技機の上方側から見た状態で示す断面説明図。
【図７】実施例における，パチンコ遊技機において，ロック部材をロック解除位置までスライドさせた状態を示す図で，パチンコ遊技機の上方側から見た状態で示す断面説明図。
【図８】実施例における，枠側スライド部材とロック部材とを有する枠体を示す図で，パチンコ遊技機の上方側から見た状態で示す上面図。
【図９】実施例における，扉側スライド部材を有する開閉扉を示す図で，パチンコ遊技機の上方側から見た状態で示す上面図。
【図１０】実施例における，枠体に開閉扉を取り付けた状態を示す図で，パチンコ遊技機の上方側から見た状態で示す上面図。
【図１１】実施例における，開閉扉を枠体に対して開閉させた状態を示す図で，パチンコ遊技機の上方側から見た状態で示す上面図。
【図１２】実施例における，パチンコ遊技機を示す図で，パチンコ遊技機の前方側から見た状態で示す正面図。
【図１３】実施例における，枠側ヒンジ部材に側壁を，ロック部材に操作部を設けたパチンコ遊技機を示す図で，パチンコ遊技機の上方側から見た状態で示す上面図。
【符号の説明】
１．．．遊技機（パチンコ遊技機），
２．．．枠体（外枠），
２１．．．枠側ヒンジ部材，
２１１．．．上片部，
２１２．．．段部，
２１３．．．下片部，
２１４．．．上面，
２２．．．ピン挿入穴，
２２１．．．幅広部，
２２２．．．幅狭部，
２３．．．段部穴，
２５．．．枠側支持部材，
２５１．．．支持ピン，
３．．．開閉扉（前枠），
３１．．．扉側ヒンジ部材，
３２．．．ヒンジピン，
３２１．．．鍔部，
３５．．．扉側支持部材，
３５１．．．ピン保持穴，
４．．．ロック部材，
４１．．．ピンロック部，
４１１．．．ピンロック面，
４１２．．．ピン当接面，
４２．．．付勢バネ，
４４．．．滑止め凹凸部（操作部），
４５．．．側壁，
４０１．．．ロック位置，
４０２．．．ロック解除位置，
４０３．．．妨げ位置，
４０４．．．待避位置，
【図１】
2004215845.tif 000003
【図２】
2004215845.tif 000004
【図３】
2004215845.tif 000005
【図４】
2004215845.tif 000006
【図５】
2004215845.tif 000007
【図６】
2004215845.tif 000008
【図７】
2004215845.tif 000009
【図８】
2004215845.tif 000010
【図９】
2004215845.tif 000011
【図１０】
2004215845.tif 000012
【図１１】
2004215845.tif 000013
【図１２】
2004215845.tif 000014
【図１３】
2004215845.tif 000015